(57)【特許請求の範囲】
【請求項１】
写真感光材料を搬送する搬送装置を備え、写真感光材料の搬送経路の途中に光学式の写真感光材料検出器を設けた写真処理装置において、
写真感光材料検出器により写真感光材料を検出した状態で写真感光材料の搬送が所定時間以上停止した場合、写真感光材料検出器の発光を停止または減光させるようにしていることを特徴とする写真処理装置。
【発明の詳細な説明】
【０００１】
【発明の属する技術分野】
本発明は、搬送装置により写真感光材料を搬送路に沿って搬送して、露光等の各種処理を施すようにした写真処理装置に関する。
【０００２】
【従来の技術】
一般にフィルム等の画像を印画紙に露光処理する写真処理装置では、機体内に、ペーパーマガジンから引き出される印画紙を搬送するための搬送装置や、この搬送装置により搬送される印画紙に画像を露光するための露光装置等を搭載すると共に、搬送装置の搬送経路の途中に、搬送される印画紙の通過状況等を検出するための写真感光材料検出器を設けて、写真感光材料検出器により、搬送経路に沿って搬送されて来る印画紙を随時チェックして、搬送装置の駆動を制御するようにしている。
【０００３】
【発明が解決しようとする課題】
ところで以上の写真処理装置では、前述の写真感光材料検出器として、例えば発光ダイオードとフォトトランジスタとから構成される光学式のフォトセンサーを用いるのが一般的であるが、例えば搬送装置が故障するなどにより、印画紙が写真感光材料検出器の検出位置で停止して、発光ダイオードの光が印画紙に所定時間、例えば１分以上照射され続けると、印画紙が発光ダイオードの光で不用意に露光してしまう虞がある。
【０００４】
本発明は、以上の実情に鑑みて開発したものであって、目的とするところは、印画紙等の写真感光材料が搬送経路の途中で所定時間以上停止した場合に、光学式写真感光材料検出器から照射される光により不用意に露光するのを防止することの出来る写真処理装置を提供するにある。
【０００５】
【課題を解決するための手段】
以上の目的を達成するために、本発明は、写真感光材料を搬送する搬送装置を備え、写真感光材料の搬送経路の途中に光学式の写真感光材料検出器を設けた写真処理装置において、写真感光材料検出器により写真感光材料を検出した状態で写真感光材料の搬送が所定時間以上停止した場合、写真感光材料検出器の発光を停止または減光させるようにしたのである。
【０００６】
【発明の実施の形態】
図１において符号Ａで示す写真処理装置は、印画紙Ｐに画像を焼き付けるためのものであって、基本的には、一組のペーパーマガジン１ａ・１ｂと、これらペーパーマガジン１ａ・１ｂから送り出される印画紙Ｐを搬送するための搬送装置２と、搬送装置２の搬送経路の途中に配設する露光装置３と、これら搬送装置２及び露光装置３の駆動を制御するためのコントローラ４とを備えている。
【０００７】
前記したペーパーマガジン１ａ・１ｂは機体５上に搭載され、搬送装置２及び露光装置３は機体５内に格納されている。
【０００８】
また機体５の前面には、作業用扉５１が開閉自在に設けられて、この作業用扉５１を開くことで、搬送装置２及び露光装置３の保守点検等を行うようにしている。
【０００９】
搬送装置２は、複数のユニットに分割されているのであって、具体的には、ペーパーマガジン１ａ・１ｂから露光装置３に至る間に配置する第１搬送処理ユニット６ａと、露光装置３と対応する部分に配置する第２搬送処理ユニット６ｂと、露光装置３から現像処理機に至る間に順次配置する第３、第４、第５、第６搬送処理ユニット６ｃ・６ｄ・６ｅ・６ｆとに分割され、各搬送処理ユニット６ａ〜６ｆにそれぞれ駆動モータ６１ａ〜６１ｆを設けて、前記コントローラ４によるこれら駆動モータ６１ａ〜６１ｆの駆動制御により、各搬送処理ユニット６ａ〜６ｆを駆動させて、印画紙Ｐを順次搬送するようにしている。
【００１０】
露光装置３は、デジタル露光方式を採用しており、予めスキャナーＳにより読み取ったデジタル画像データを前記コントローラ４で処理して、このコントローラ４の制御により、前記デジタル画像データに基づいて処理された画像を露光ヘッド３１にて印画紙Ｐに露光するようにしているのであって、図に示す実施形態では、この露光ヘッド３１を、前記した第２搬送処理ユニット６ｂに搭載している。
【００１１】
尚、デジタル露光の方式としては、ＰＬＺＴシャッター方式や蛍光ビーム方式、液晶シャッター方式等が知られており、装置の仕様に応じて任意の方式を選択することが出来る。
【００１２】
以上の構成から成る写真処理装置において、図に示す実施形態では、各搬送処理ユニット６ａ〜６ｆ毎に、印画紙Ｐの通過状況を検出するための第１〜第６写真感光材料検出器７ａ〜７ｆを設け、これら検出器７ａ〜７ｆをコントローラ４の入力側に接続しているのであって、以上の第１〜第６写真感光材料検出器７ａ〜７ｆは、発光ダイオードとフォトトランジスタとから成る光透過型のフォトセンサーを用いている。
【００１３】
また各搬送処理ユニット６ａ〜６ｆの駆動モータ６１ａ〜６１ｆの駆動乃至停止を検出する第１〜第６モータ駆動検出器８ａ〜８ｆを設けて、これら検出器８ａ〜８ｆをコントローラ４の入力側に接続している。
【００１４】
そして、第１〜第６写真感光材料検出器７ａ〜７ｆ中、例えば、第６写真感光材料検出器７ｆが印画紙Ｐを検出した場合において、この写真感光材料検出器７ｆが設けられた搬送処理ユニット６ｆの駆動モータ６１ｆの駆動が停止したのをモータ駆動検出器８ｆが検出して、その停止が所定時間以上（例えば３０秒）続いた時には、コントローラ４の制御により、第６写真感光材料検出器７ｆの電源をオフにして、この第６写真感光材料検出器７ｆを構成する発光ダイオードの発光を停止すると共に、発光停止後において、駆動モータ６１ｆが駆動したのをモータ駆動検出器８ｆが検出した段階で、再度、写真感光材料検出器７ｆの電源をオンさせて、この写真感光材料検出器７ｆによる印画紙Ｐの検出を開始させるようにしている。
【００１５】
ところで、印画紙Ｐの感度はその種類により異なることから、以上の実施形態では、駆動モータの駆動停止に伴い写真感光材料検出器の電源をオフさせるに至る判定時間を、使用する印画紙Ｐの感度に応じて任意変更出来るように構成し、例えば感度の良い印画紙Ｐでは、駆動モータの駆動停止が前記した例よりも短い時間（例えば２０秒）が経過した段階で、写真感光材料検出器の電源をオフ出来るようにしている。
【００１６】
以上の写真処理装置は、スキャナーＳで取り込んだフィルム等の画像データがコントローラ４に送られる一方、ペーパーマガジン１ａ・１ｂから引き出されてカッター（図示せず）で所定サイズに切断された印画紙Ｐは、第１、第２搬送処理ユニット６ａ・６ｂで搬送されて、この印画紙Ｐに露光ヘッド３１を介して画像が露光された後、更にこの露光済の印画紙Ｐを第３搬送処理ユニット〜第６搬送処理ユニット６ｃ〜６ｆにより順次搬送されて、現像処理装置Ｔに送り込まれるのである。
【００１７】
尚、現像処理装置Ｔでは、露光済の印画紙Ｐは各種処理液にて現像処理された後、乾燥機で乾燥してプリントが仕上げられるのである。
【００１８】
一方、例えば印画紙Ｐへの画像の露光作業途中等に、例えば現像処理装置Ｔにおいて紙詰まりや温調不良、補充液不足等のトラブルが発生し、印画紙Ｐを現像処理装置Ｔに送り込めず、トラブルを解消するまでの間、搬送処理ユニット６ａ〜６ｆ内で印画紙Ｐを待機させねばならない場合、例えば、第４〜第６搬送処理ユニット６ｄ〜６ｆが印画紙Ｐを検出すると共に、第４〜第６搬送処理ユニット６ｄ〜６ｆの駆動モータ６１ｄ〜６１ｆの駆動が停止したのをモータ駆動検出器８ｄ〜８ｆが検出した場合において、その停止が所定時間以上（例えば３０秒）続くと、コントローラ４の制御により、第４〜第６写真感光材料検出器７ｄ〜７ｆの電源がオフされて、これら第４〜第６写真感光材料検出器７ｄ〜７ｆによる印画紙Ｐの検出が中止され、各写真感光材料検出器７ｄ〜７ｆを構成する発光ダイオードの光により印画紙Ｐが露光するのを未然に防止するのである。
【００１９】
そして第４〜第６写真感光材料検出器７ｄ〜７ｆによる印画紙Ｐの検出中止後において、駆動モータ６１ｄ〜６１ｆが駆動したのをモータ駆動検出器８ｄ〜８ｆが検出すると、再度、第４〜第６写真感光材料検出器７ｄ〜７ｆの電源をオンさせて、これら第４〜第６写真感光材料検出器７ｄ〜７ｆによる印画紙Ｐの検出が開始されるのである。
【００２０】
斯くして以上の写真処理装置では、写真感光材料検出器７ａ〜７ｆを構成する発光ダイオードの光によって印画紙Ｐが不用意に露光するようなことがなく、写真処理作業がスムーズにしかも無駄なく行える。
【００２１】
以上の実施形態では、第１〜第６写真感光材料検出器７ａ〜７ｆとモータ駆動検出器８ａ〜８ｆとを設け、第１〜第６写真感光材料検出器７ａ〜７ｆのいずれかが印画紙Ｐを検出した場合において、その写真感光材料検出器が設けられた搬送処理ユニットの駆動モータの駆動が停止したのをモータ駆動検出器が検出して、その停止が所定時間以上続いた時に、コントローラ４の制御により、その写真感光材料検出器の電源をオフにして、印画紙Ｐの検出を中止するようにしたが、これに限定されるものではなく、例えば、第１〜第６写真感光材料検出器７ａ〜７ｆのいずれかが印画紙Ｐを検出した場合において、その検出状態が所定時間以上（例えば１分）継続した場合に、搬送装置２による印画紙Ｐの搬送が所定時間以上停止した状態となっていると判断し、コントローラ４の制御により、その写真感光材料検出器の電源をオフにして、印画紙Ｐの検出を中止するようにしてもよい。
【００２２】
また以上の実施形態では、写真感光材料検出器７ａ〜７ｆのいずれかが印画紙Ｐを検出した状態において、印画紙Ｐの搬送が所定時間以上停止した場合、コントローラ４の制御により、その写真感光材料検出器の電源をオフにして、写真感光材料検出器を構成する発光ダイオードの発光を停止させるようにしたが、この他、コントローラ４の制御により、写真感光材料検出器７ａ〜７ｆの光で印画紙Ｐが不用意に露光しない程度まで前記発光ダイオードの発光を減光させるようにしてもよい。
【００２３】
また以上の実施形態では、印画紙Ｐに画像を焼き付けるための写真処理装置に本発明を適用したが、これに限定されるものではなく、例えばフィルムや焼付処理された印画紙を現像処理するための写真処理装置に本発明を適用してもよい。
【００２４】
【発明の効果】
以上のごとく本発明によれば、写真感光材料検出器により写真感光材料を検出した状態で写真感光材料の搬送が所定時間以上停止した場合、写真感光材料検出器の発光を停止または減光させるようにしたことにより、搬送装置の故障等によって、写真感光材料が搬送経路の途中で所定時間以上停止した場合にあっても、光学式写真感光材料検出器の光により不用意に露光するのを確実に防止することが出来る。
【図面の簡単な説明】
【図１】本発明にかかる写真処理装置の概略説明図。
【図２】同、構成図。
【図３】本発明にかかる写真処理装置にスキャナー及び現像処理装置を接続した状態を示す説明図。
【符号の説明】
Ｐ    印画紙（写真感光材料）
２    搬送装置
７ａ〜７ｆ  写真感光材料検出器
【図１】
0003695253.tif 000002
【図２】
0003695253.tif 000003
【図３】
0003695253.tif 000004